(57)【要約】【課題】１スロットに複数種類のカードを受け入れるカードリーダにおいて、電極端子への誤った電源供給を行わないようにして安全性を高めたマルチカードリーダを提供する。【解決手段】幅広の大型メモリカードを受け入れる大型カードスロット部を挿入口に連接して形成し、その奥側に幅狭の小型メモリカードを受け入れる小型カードスロット部を形成する。大型カードスロット部に、挿入されたメモリカードが前記大型メモリカードの幅を有するか否かを検出するカード幅検出部と、カード幅検出部が、挿入されたメモリカードが大型メモリカードの幅であることを検出したとき、前記大型カードスロット部の電極に電源を供給する電源制御部とを備える。【選択図】図１
0003121545.tif 000002
【実用新案登録請求の範囲】
【請求項１】
挿入口から手前側に幅広の大型メモリカードを受け入れる大型カードスロット部を形成し、その奥側に幅狭の小型メモリカードを受け入れる小型カードスロット部を形成したマルチカードリーダにおいて、
前記大型カードスロット部に、挿入されたメモリカードが前記大型メモリカードの幅を有するか否かを検出するカード幅検出部と、
カード幅検出部が、挿入されたメモリカードが大型メモリカードの幅であることを検出したとき、前記大型カードスロット部の電極に電源を供給する電源制御部と、
を備えたマルチカードリーダ。
【請求項２】
前記カード幅検出部は、大型カードスロット部の両側壁に設けられたリードスイッチを含む請求項１に記載のマルチカードリーダ。
【請求項３】
ＳＤカードを受け入れるＳＤカードスロット部の奥にｍｉｎｉＳＤカードを受け入れるｍｉｎｉＳＤカードスロット部を形成したマルチカードリーダにおいて、
前記ＳＤカードスロット部の左側壁に第１のカード検出部を設けるとともに、右側先端部の斜側壁に第２のカード検出部を設けたことを特徴とするマルチカードリーダ。
【請求項４】
前記第１、第２のカード検出部の両方がカードを検出したとき、ＳＤカードスロット部の電極に電源を供給する制御部を備えた請求項３に記載のマルチカードリーダ。
【考案の詳細な説明】
【技術分野】
【０００１】
この考案は、サイズの異なる複数種類のメモリカードを同一のスロットでリードライトするマルチカードリーダに関する。
【背景技術】
【０００２】
フラッシュメモリを内蔵し、小型で平板の形状をしたメモリカードが多種類実用化されている。たとえば、ＳＤカード，ｍｉｎｉＳＤカード，コンパクトフラッシュ（登録商標）カード，メモリスティック，メモリスティックＤｕｏ等がある。これらメモリカードは、いずれもパソコンからリードライトが可能であるが、パソコン側に他種類のメモリカード毎にメモリカードリーダ（若しくはカードスロット）を設けることは大がかりであるため、１つの装置または１つのスロットで複数種類のカードのリードライトをすることができるマルチカードリーダが実用化されている（たとえば非特許文献１）。
【０００３】
このようなカードリーダでは、１つのスロットで複数種類のメモリカードを担当するように構成されている。
【０００４】
上記非特許文献のマルチカードリーダでは、他種類のメモリカードを１つの装置でリードライトするため、１つのスロットでサイズの異なる２種類のメモリカードの受け入れを可能にしていた。
【０００５】
図４（Ａ）にこの構成のマルチカードスロットの構成を示す。挿入口３００に大型カードスロット部３０１が形成され、その奥に小型カードスロット部３０２が形成されている。そして、大型カードスロット部３０１の側壁に大型カードセンサ３０３が設けられ、小型カードスロット部３０２の奥壁に小型カードセンサ３０４が設けられている。大型メモリカードが挿入されると、大型カードセンサ３０３がオンして、大型カードスロット部３０１の電極端子に電源が供給されて大型メモリカードのリードライトを可能にする。また、小型メモリカードが奥まで挿入されると、小型カードセンサ３０４がオンして小型カードスロット部３０２の電極端子に電源が供給されて小型メモリカードのリードライトを可能にする。
【非特許文献１】エレコム株式会社、”メモリリーダライタ”、[online]、［平成１８年２月２７日検索］、インターネット＜ＵＲＬ：http://www2.elecom.co.jp/peripheral/memory-rw/index.asp＞
【考案の開示】
【考案が解決しようとする課題】
【０００６】
しかし、上記図４（Ｂ）に記載の構成のマルチカードリーダでは、大型カードセンサ３０３がスロット内部の一方の側壁のみに設けられていたため、同図（Ｂ）に示すように、奥まで真っ直ぐ挿入されるべき小型メモリカードが斜めに挿入されて大型カードセンサ３０３をオンしてしまった場合でも、大型カードスロット部３０１の電極端子に電源が供給されてしまうという問題点があった。このように小型メモリカード３１０の挿入途中に大型カードスロット部３０１の電極端子に電源が供給されると、最悪の場合、挿入途中の小型メモリカードのデータが破壊されてしまうという危険性があった。
【０００７】
したがって、この考案は、１スロットに複数種類のカードを受け入れるカードリーダにおいて、電極端子への誤った電源供給を行わないようにして安全性を高めたマルチカードリーダを提供することを目的とする。
【課題を解決するための手段】
【０００８】
この考案は、挿入口から手前側に幅広の大型メモリカードを受け入れる大型カードスロット部を形成し、その奥側に幅狭の小型メモリカードを受け入れる小型カードスロット部を形成したマルチカードリーダにおいて、前記大型カードスロット部に、挿入されたメモリカードが前記大型メモリカードの幅を有するか否かを検出するカード幅検出部と、カード幅検出部が、挿入されたメモリカードが大型メモリカードの幅であることを検出したとき、前記大型カードスロット部の電極に電源を供給する電源制御部と、を備えたことを特徴とする。
【０００９】
また、この考案は、前記カード幅検出部が、大型カードスロット部の両側壁に設けられたリードスイッチを含む構成であることを特徴とする。
【００１０】
この考案では、大型カードスロット部に、挿入されたメモリカードが大型メモリカードの幅を有するか否かを検出するカード幅検出部を設けた。カード幅検出部は、従来の単にメモリカードが挿入されたか否かを検出する検出部と異なり、メモリカードが挿入されたことを検出するのみならず、そのメモリカードの幅が大型メモリカードの幅であるか否かを判断することができる。これにより、小型メモリカードが挿入されたときに、これを大型メモリカードと誤って判定することがなくなり、小型メモリカードが挿入されたときに大型カードスロット部の電極に電源が供給されて小型メモリカードのデータを破壊してしまうという危険性がなくなる。
【００１１】
この考案は、ＳＤカードを受け入れるＳＤカードスロット部の奥にｍｉｎｉＳＤカードを受け入れるｍｉｎｉＳＤカードスロット部を形成したマルチカードリーダにおいて、前記ＳＤカードスロット部の左側壁に第１のカード検出部を設けるとともに、右側先端部の斜側壁に第２のカード検出部を設けたことを特徴とする。
【００１２】
また、この考案は、前記第１、第２のカード検出部の両方がカードを検出したとき、ＳＤカードスロット部の電極に電源を供給する制御部を備えたことを特徴とする。
【００１３】
１つのスロットで複数種類のメモリカードを受け入れるマルチカードリーダとして典型的な構成がＳＤカードとｍｉｎｉＳＤカードを受け入れるものである。このようなマルチカードリーダの場合、ＳＤカードスロット内部の左壁面に第２のカード検出部を設け、第２のカード検出部を、ＳＤカードの右先端部の切欠き(key) が当接するＳＤカードスロット部右側の斜め壁面に設ける。これにより、ＳＤカードが正しい方向に完全に挿入されたとき両カード検出部がＳＤカードの挿入を検出する。また、もしｍｉｎｉＳＤカードが斜めに挿入された場合でも、いずれか一方のカード検出部がオンすることがあっても、両方が同時にオンすることがない。
【考案の効果】
【００１４】
この考案によれば、挿入されたメモリカードが大型メモリカードの幅を有するか否かを検出し、大型メモリカードの幅を有すると判断した場合のみ、大型カードスロット部の電極端子に電源を供給するため、小型メモリカードが挿入されたときに、誤って大型カードスロット部の電極端子に電源を供給し、小型メモリカードのデータを破壊してしまうということがなくなる。
【考案を実施するための最良の形態】
【００１５】
図１は、この考案のマルチカードリーダの概略構造およびカードセンサの配置を説明する図である。マルチカードリーダ１００は、１つのカードスロット１０１を有している。カードスロット１０１の内部には、挿入口１０１Ｃ側に大型カードスロット部１０１Ａ、奥側に小型カードスロット部１０１Ｂが形成されている。
【００１６】
大型カードスロット部１０１Ａの左右の内壁面にはカードセンサ１１１，１１２が設けられている。このカードセンサ１１１，１１２は、挿入されたカードによって弾性変形するリード電極を有するリードスイッチ、挿入されたカードによって光が遮断されることにより、カードを検出するフォトセンサ等種々のものを用いることが可能である。
【００１７】
大型カード２００が挿入されると、この大型カード２００は、大型カードスロット部１０１Ａと小型カードスロット部１０１Ｂの幅の差をつなぐ壁面として設けられたストッパ １０２に当接して停止する（同図（Ｂ）参照）。このとき、カードセンサ１１１，１１２の両方がオンして大型カード２００が挿入されたことを検出する。この大型カード挿入の検出により、制御部１２０が大型カード用電極１１４に電源を供給し、挿入された大型カード２００のリードライトが可能になる。
【００１８】
また、小型カード２０１が挿入されると、この小型カード２０１は、小型カードスロット部１０１Ｂの奥壁面１０３に当接して停止する（同図（Ｃ）参照）。このときカードセンサ１１３がオンして小型カード２０１が挿入されたことを検出する。この小型カード挿入の検出により、制御部１２０が小型カード用電極１１５に電源を供給し、挿入された小型カード２０１のリードライトが可能になる。
【００１９】
一方、同図（Ｄ）のように、小型カード２０１が誤って斜めに挿入された場合、大型カードを検出するカードセンサ１１１，１１２のうち一方がオンする場合があるが（図示の例ではカードセンサ１１１がオンしている。）、小型カード２０１の幅は大型カードよりも小さいため、両方が同時にオンすることはなく、小型カード２０１の斜め挿入によって、大型カードよう電極に誤って電源が供給されることがない。
【００２０】
図２は、本考案をＳＤカードとｍｉｎｉＳＤカードを１スロットでリードライトするマルチカードリーダに適用した例を示す図である。同図は、同マルチカードリーダのスロットの内部構造を示している。
【００２１】
なお、マルチカードリーダとしては、図２のメモリスロットを含む複数のスロットを備え、それぞれのスロットが異なる種類のメモリカード（たとえば、メモリスティックやコンパクトフラッシュ（登録商標）等）を受け入れる構成のものであってもよい。
【００２２】
スロット１は、このスロット１の挿入口１Ｃに近い側のＳＤカードスロット部１Ａおよび奥側のｍｉｎｉＳＤカードスロット部１Ｂからなっている。
【００２３】
ＳＤカードスロット部１Ａは、ＳＤカードの形状（幅方向の形状）に合わせて、左側壁１１、右側壁１２、ストッパ１３、斜側壁１４を有している。ストッパ１３は、挿入されたＳＤカードの先端部に当接してそれ以上挿入できないように停止される奥側の壁面であり、左側壁１１に直角に連接している。斜側壁１４は、ＳＤカードの先端部に形成されている斜めの切欠き形状に一致するように形成された壁面であり、右側壁１２から１３５度の角度で連接するように形成されている。ＳＤカードが挿入されると、左右側壁１１，１２で左右方向が規制され、ストッパ１３，斜側壁１４で挿入位置が規制される。
【００２４】
ｍｉｎｉＳＤカードスロット部１Ｂは、ｍｉｎｉＳＤカードの形状に合わせて、左側壁２１、右側壁２２および奥壁２３を有している。左側壁２１は、前記ＳＤカードスロット部１Ａのストッパ１３に直角に連接して奥行方向に形成されており、その長さはｍｉｎｉＳＤカードの左側の先端部の長さに一致している。なお、ストッパ１３の長さはｍｉｎｉＳＤカードの左側側面の胴部と先端部の段差と一致している。したがって、ｍｉｎｉＳＤカードをＳＤカードスロット部１Ａの左側壁１１に沿わせて挿入すれば、自然にｍｉｎｉＳＤカードスロット部１Ｂへ挿入されるようになっている。
【００２５】
また、ｍｉｎｉＳＤカードスロット部１Ｂの右側壁２２は、ＳＤカードスロット部１Ａの斜側壁４に２２５度の角度で連接され、左側壁２１と並行に形成されている。奥壁２３は、左右側壁２１，２２をつなぐ壁面であり、挿入されたｍｉｎｉＳＤカードが当接する壁面である。
【００２６】
上記形状のＳＤカードスロット部１Ａの底面には、９個の電極１５が形成されている。また、上記形状のＳＤカードスロット部１Ａの左壁面１１の奥寄りの位置にＳＤカードセンサ１６が設けられている。このＳＤカードセンサは、カードの挿入によって弾性変形するリード電極とこのリード電極に対向する固定電極とからなるリードスイッチであり、上記弾性変形により、両電極が接触してオンするものである。また、右側の斜壁面にも同様のＳＤカードセンサ１７が設けられている。制御部３０は、これら２つのＳＤカードセンサ１６，１７の両方がオンしたとき、電極１５に電源を供給するとともにリードライト回路に接続する。
【００２７】
これら２つのＳＤカードセンサ１６，１７は左右の壁面に隔てて設けられ、その間隔が、ｍｉｎｉＳＤカードの幅よりも大きいため、ｍｉｎｉＳＤカードどのような姿勢で挿入されても両方が同時にオンすることがなく、ｍｉｎｉＳＤカードの挿入によって誤ってＳＤカードの電極１５に電源が供給されることがない。
【００２８】
一方、上記形状のｍｉｎｉＳＤカードスロット部１Ｂの底面には、１１個の電極２５が形成されている。また、上記形状のｍｉｎｉＳＤカードスロット部１Ｂの奥壁面２３にｍｉｎｉＳＤカードセンサ２６が設けられている。このｍｉｎｉＳＤカードセンサも上記ＳＤカードセンサと同様の構成であって、カードの挿入によって弾性変形するリード電極とこのリード電極に対向する固定電極とからなるリードスイッチであり、上記弾性変形により、両電極が接触してオンするものである。制御部３０は、ｍｉｎｉＳＤカードセンサ２６がオンしたとき、電極２５に電源を供給するとともにリードライト回路に接続する。
【００２９】
なお、制御部３０は、マイコンで構成され、ＳＤカード，ｍｉｎｉＳＤカードの挿入をセンサを用いて検出し、電極端子１５，２５を介してＳＤカード，ｍｉｎｉＳＤカードとデータの送受信を行う機能を備えている。
【００３０】
図３は、カードリーダの他の構成例を示す図である。同図（Ａ）は、マルチカードリーダでなく単一のカードリーダであるが、奥壁１２３の左右両端部にそれぞれカードセンサ１２０，１２１を設けることにより、図に示すようなカードの斜め挿入による不完全装着を検出することができる。この場合、一方のセンサのみオンし続けた場合には、挿入方向が誤っているとして何らかのアラートを発生するようにしてもよい。
【００３１】
また、図１の例では、小型カードスロット部は、大型カードスロット部の中央部に連接して形成されていたが、図３（Ｂ）のように小型カードスロット部を大型カードスロット部の一方の壁面に沿って奥側に形成した構造であっても、同様にこの考案を適用することができる。また、同図（Ｃ）のように小型カードスロット部の小型カード用のカードセンサを同図（Ａ）に示すように複数に構成してもよい。
【図面の簡単な説明】
【００３２】
【図１】本考案の実施形態であるマルチカードリーダの概略構造図である。
【図２】本考案をＳＤカード，ｍｉｎｉＳＤカードを読み取るマルチカードリーダに適用した場合のカードリーダの構造図である。
【図３】本考案の変形例を示す図である。
【図４】従来のマルチカードリーダの概略構造を示す図である。
【符号の説明】
【００３３】
１  メモリカードスロット
１Ａ  大型カードスロット部
１Ｂ  小型カードスロット部
１Ｃ  挿入口
１１  （ＳＤカードスロット部の）左側壁
１２  （ＳＤカードスロット部の）右側壁
１３  （ＳＤカードスロット部の）ストッパ
１４  （ＳＤカードスロット部の）斜側壁
１５  （ＳＤカードスロット部の）電極端子
１６，１７  ＳＤカードセンサ
２１  （ｍｉｎｉＳＤカードスロット部の）左側壁
２２  （ｍｉｎｉＳＤカードスロット部の）右側壁
２３  （ｍｉｎｉＳＤカードスロット部の）奥壁
２５  （ｍｉｎｉＳＤカードスロット部の）電極端子
２６  ｍｉｎｉＳＤカードセンサ
３０  制御部
１０１  メモリカードスロット
１０１Ａ  大型カードスロット部
１０１Ｂ  小型カードスロット部
１０１Ｃ  挿入口
１０２  （大型カードスロット部の）ストッパ
１０３  （小型カードスロット部の）奥壁
１１１，１１２  大型カードセンサ
１１３  小型カードセンサ
１１４  （大型カードスロット部の）電極端子
１１５  （小型カードスロット部の）電極端子
【図１】
0003121545.tif 000003
【図２】
0003121545.tif 000004
【図３】
0003121545.tif 000005
【図４】
0003121545.tif 000006